(57)【要約】【課題】筐体とケースとの隙間が目立ちにくい記録装置を提供する。【解決手段】プリンターは、液体を噴射して用紙に記録を行う液体噴射ヘッドと、液体噴射ヘッドが収容されている筐体１０１と、筐体１０１に設けられた操作パネルと、液体噴射ヘッドに供給される液体が収容されている液体収容体と、液体収容体を格納するケース１４１と、を備えている。操作パネルにおける表記が向けられている方向をプリンター及び筐体１０１の正面としたとき、筐体１０１の右側面にケース１４１が装着されており、このケース１４１における筐体１０１と対向する外面がプリンターの奥行き方向における手前側ほどプリンターの幅方向における内側に位置するように、ケース１４１がプリンターの奥行き方向に対して傾斜した状態で筐体１０１に装着されている。【選択図】図１５
2015174336.tif 000002
【特許請求の範囲】
【請求項１】
液体を噴射して記録媒体に記録を行う記録部と、
前記記録部が収容されている筐体と、
前記筐体に設けられた操作パネルと、
前記記録部に供給される液体が収容されている液体収容体と、
前記液体収容体を格納するケースと、を備え、
前記操作パネルにおける表記が向けられている方向を記録装置及び前記筐体の正面としたとき、
前記筐体の右側面及び左側面の少なくとも一方に前記ケースが装着されており、
前記ケースにおける前記筐体と対向する外面が当該記録装置の奥行き方向における手前側ほど当該記録装置の幅方向における内側に位置するように、前記ケースが当該記録装置の奥行き方向に対して傾斜した状態で前記筐体に装着されている記録装置。
【請求項２】
液体を噴射して記録媒体に記録を行う記録部と、
前記記録部が収容されている筐体と、
前記筐体に設けられた操作パネルと、
前記記録部に供給される液体が収容されている液体収容体と、
前記液体収容体を格納するケースと、を備え、
前記操作パネルが設けられている側を記録装置及び前記筐体の正面としたとき、
前記筐体の右側面及び左側面の少なくとも一方に前記ケースが装着されており、
前記ケースにおける前記筐体と対向する外面が当該記録装置の奥行き方向における手前側ほど当該記録装置の幅方向における内側に位置するように、前記ケースが当該記録装置の奥行き方向に対して傾斜した状態で前記筐体に装着されている記録装置。
【請求項３】
請求項１又は請求項２に記載の記録装置において、
前記ケースを含む当該記録装置の幅が、当該記録装置の奥行き方向における奥側ほど大きくなっている
ことを特徴とする記録装置。
【請求項４】
請求項１〜３のいずれか一項２に記載の記録装置において、
前記ケースが、当該記録装置の奥行き方向において前記筐体の最も手前側の部分よりも奥側に位置している
ことを特徴とする記録装置。
【請求項５】
請求項１〜４のいずれか一項に記載の記録装置において、
前記ケースが装着される前記筐体の側面が、当該記録装置の高さ方向に対して傾斜しており、
前記ケースが、傾斜している前記筐体の側面に沿うように、当該記録装置の高さ方向に対して傾斜した状態で前記筐体に装着されている
ことを特徴とする記録装置。
【請求項６】
請求項１〜５のいずれか一項に記載の記録装置において、
前記筐体と前記ケースとの間に封止部材が挟み込まれている
ことを特徴とする記録装置。
【請求項７】
液体を噴射して記録媒体に記録を行う記録部と、
前記記録部が収容されている筐体と、
前記筐体に設けられた操作パネルと、
前記記録部に供給される液体が収容されている液体収容体と、
前記液体収容体を格納するケースと、を備え、
前記操作パネルが設けられている側を記録装置及び前記筐体の正面としたとき、
前記筐体の右側面及び左側面の少なくとも一方に前記ケースが装着されており、
前記ケースにおける前記筐体と対向する外面から同ケースが装着されている前記筐体の側面までの距離が当該記録装置の奥行き方向における手前側ほど短くなるように、前記ケースが当該記録装置の奥行き方向に対して傾斜した状態で前記筐体に装着されている記録装置。
【請求項８】
液体を噴射して記録媒体に記録を行う記録部と、
前記記録部が収容されている筐体と、
前記記録部に供給される液体が収容されている液体収容体と、
前記液体収容体を格納するケースと、を備え、
前記筐体には、前記記録媒体が排出される排出口が設けられ、
前記排出口が設けられている方向を記録装置及び前記筐体の正面としたとき、
前記筐体の右側面及び左側面の少なくとも一方に前記ケースが装着されており、
前記ケースにおける前記筐体と対向する外面が当該記録装置の奥行き方向における手前側ほど当該記録装置の幅方向における内側に位置するように、前記ケースが当該記録装置の奥行き方向に対して傾斜した状態で前記筐体に装着されている記録装置。
【発明の詳細な説明】
【技術分野】
【０００１】
本発明は、液体を記録部から噴射して記録を行う記録装置に関する。
【背景技術】
【０００２】
従来から、記録装置の一種として、液体噴射ヘッド（記録部）から用紙等の記録媒体に対してインク（液体）を噴射することにより印刷（記録）を行うインクジェット式プリンターが知られている。このようなプリンターにおいて、比較的大量の印刷を行う場合であっても連続的に安定して液体噴射ヘッドにインクを供給できるようにするため、インクの収容容量が比較的大きなインクバッグ（液体収容体）を備える構成が提案されている（例えば、特許文献１参照）。
【０００３】
特許文献１に記載の記録装置では、筐体の外部に設けられたインクバッグから筐体の内部に設けられた液体噴射ヘッドにインク供給チューブを通じてインクを供給している。この記録装置では、筐体とインクバッグとが別々に設けられており、プリンターの移動時にはこれらを別々に移動させる必要がある。この点、樹脂製のケースを筐体に装着し、このケースにインクバッグを格納するようにすれば、プリンターの移動時に筐体とインクバッグとを一緒に移動させることができる。なお、特許文献２には、筐体の側面が湾曲している記録装置が開示されている。
【先行技術文献】
【特許文献】
【０００４】
【特許文献１】特開２００９−２０２３４６号公報
【特許文献２】特許第４５３３１２５号公報
【発明の概要】
【発明が解決しようとする課題】
【０００５】
ところで、製造コストを抑制するために、異なる機種に対して共通のケースを装着することが考えられる。しかしながら、機種毎に筐体の形状は様々であり、上記特許文献２に開示されているように筐体の側面が湾曲しているものもあるため、ケースを共通のものにしてしまうと、ケースを筐体に装着したときに隙間が生じるおそれがある。特に、直方体状のケースを特許文献２に記載の記録装置のように湾曲した側面を有する筐体に装着する場合には、隙間が生じることが避けられない。
【０００６】
そして、こうしたケースと筐体との隙間が目立つと、プリンターの美観が損なわれてしまうおそれがある。
なお、こうした問題は、インクジェット式プリンターに限らず、筐体の外部に設けられた液体収容体から筐体の内部に設けられた記録部に供給された液体を当該記録部から記録媒体に噴射して記録を行う記録装置において概ね共通したものとなっている。
【０００７】
本発明は、上記問題点に鑑みてなされたものであり、その目的は、筐体とケースとの隙間が目立ちにくい記録装置を提供することにある。
【課題を解決するための手段】
【０００８】
上記目的を達成するための記録装置は、液体を噴射して記録媒体に記録を行う記録部と、記録部が収容されている筐体と、筐体に設けられた操作パネルと、記録部に供給される液体が収容されている液体収容体と、液体収容体を格納するケースと、を備え、操作パネルにおける表記が向けられている方向を当該記録装置及び筐体の正面としたとき、筐体の右側面及び左側面の少なくとも一方にケースが装着されており、ケースにおける筐体と対向する外面が当該記録装置の奥行き方向における手前側ほど当該記録装置の幅方向における内側に位置するように、ケースが当該記録装置の奥行き方向に対して傾斜した状態で筐体に装着されている。
【０００９】
また、上記目的を達成するための記録装置は、液体を噴射して記録媒体に記録を行う記録部と、記録部が収容されている筐体と、筐体に設けられた操作パネルと、記録部に供給される液体が収容されている液体収容体と、液体収容体を格納するケースと、を備え、操作パネルが設けられている側を当該記録装置及び筐体の正面としたとき、筐体の右側面及び左側面の少なくとも一方にケースが装着されており、ケースにおける筐体と対向する外面が当該記録装置の奥行き方向における手前側ほど当該記録装置の幅方向における内側に位置するように、ケースが当該記録装置の奥行き方向に対して傾斜した状態で筐体に装着されている。
【００１０】
上記各構成によれば、記録装置を正面から見たときに、ケースにおける筐体と対向する外面の最も手前側の部分が筐体における同ケースの装着されている側面に近くなるように同ケースが傾けられていることになる。そのため、ケースを記録装置の奥行き方向に対して傾けずに装着する場合と比較して、正面から見える筐体とケースとの隙間が小さくなる。したがって、筐体とケースとの隙間が目立ちにくくなる。
【００１１】
また、上記記録装置では、ケースを含む当該記録装置の幅が、当該記録装置の奥行き方向における奥側ほど大きくなっていることが望ましい。
記録装置の幅が一定である場合には、記録装置を正面から見たときに奥の方が狭まって見える傾向にあり、記録装置の側壁が凹んでいると錯覚されるおそれがある。
【００１２】
これに対して、上記構成によれば、傾けた状態で筐体に装着されたケースを含む記録装置の幅が奥側ほど大きくなっているため、正面から見たときに記録装置の側壁が凹んでいると錯覚されにくくなる。
【００１３】
また、上記記録装置において、ケースが、当該記録装置の奥行き方向において筐体の最も手前側の部分よりも奥側に位置するようにすれば、筐体よりもケースが手前側に飛び出した形状にならないため、ケースが邪魔になりにくくなる。
【００１４】
また、上記記録装置では、ケースが装着される筐体の側面が、当該記録装置の高さ方向に対して傾斜しており、ケースが、傾斜している筐体の側面に沿うように、当該記録装置の高さ方向に対して傾斜した状態で筐体に装着されていることが望ましい。
【００１５】
筐体の側面が記録装置の高さ方向に対して傾斜している場合に、ケースを記録装置の高さ方向に対して傾けずに装着すると、記録装置の上方又は下方において筐体とケースとの間に隙間が生じる。この点、上記構成によれば、こうした隙間が生じることが抑制される。
【００１６】
また、上記記録装置では、筐体とケースとの間に封止部材が挟み込まれていることが望ましい。
上記構成によれば、封止部材によって筐体とケースとの隙間が塞がれるため、筐体とケースとの隙間に物が入り込んでしまうことを抑制できる。
【００１７】
また、上記目的を達成するための記録装置は、液体を噴射して記録媒体に記録を行う記録部と、記録部が収容されている筐体と、筐体に設けられた操作パネルと、記録部に供給される液体が収容されている液体収容体と、液体収容体を格納するケースと、を備え、操作パネルが設けられている側を当該記録装置及び前記筐体の正面としたとき、筐体の右側面及び左側面の少なくとも一方にケースが装着されており、ケースにおける筐体と対向する外面から同ケースが装着されている筐体の側面までの距離が当該記録装置の奥行き方向における手前側ほど短くなるように、ケースが当該記録装置の奥行き方向に対して傾斜した状態で筐体に装着されている。
【００１８】
また、上記目的を達成するための記録装置は、液体を噴射して記録媒体に記録を行う記録部と、記録部が収容されている筐体と、記録部に供給される液体が収容されている液体収容体と、液体収容体を格納するケースと、を備え、筐体には、記録媒体が排出される排出口が設けられ、排出口が設けられている方向を当該記録装置及び筐体の正面としたとき、筐体の右側面及び左側面の少なくとも一方にケースが装着されており、ケースにおける筐体と対向する外面が当該記録装置の奥行き方向における手前側ほど当該記録装置の幅方向における内側に位置するように、ケースが当該記録装置の奥行き方向に対して傾斜した状態で筐体に装着されている。
【００１９】
上記各構成によっても、記録装置を正面から見たときに、ケースにおける筐体と対向する外面の最も手前側の部分が筐体における同ケースの装着されている側面に近くなるように同ケースが傾けられていることになる。そのため、ケースを記録装置の奥行き方向に対して傾けずに装着する場合と比較して、正面から見える筐体とケースとの隙間が小さくなる。したがって、筐体とケースとの隙間が目立ちにくくなる。
【図面の簡単な説明】
【００２０】
【図１】第１の実施形態の記録装置の斜視図。
【図２】蓋体を開けた状態の第１の液体収容ユニットの斜視図。
【図３】蓋体及びカバーが取り外された状態の第１の液体収容ユニットの斜視図。
【図４】第１の液体収容ユニットを回動させた状態を示す記録装置の斜視図。
【図５】筐体を構成するハウジングミドルの斜視図。
【図６】ハウジングミドルに設けられた取り付け孔の拡大図。
【図７】（ａ）は内板金の上面図、（ｂ）は内板金の側面図。
【図８】（ａ）〜（ｆ）はハウジングミドルへの内板金の取り付け態様の一例を示す図。
【図９】内板金が取り付けられたハウジングミドルの左側面図。
【図１０】第１の液体収容ユニットに取り付けられる外板金の斜視図。
【図１１】内板金と外板金とが締結されるときの状態を示すハウジングミドルの左側面図。
【図１２】蓋体及びカバーが取り外された状態の第１の液体収容ユニットの正面図。
【図１３】図１２の１３−１３線に沿った断面を模式的に示す図。
【図１４】図１２の１４−１４線に沿った断面を模式的に示す図。
【図１５】記録装置を上方からみたときのハウジングミドルと第１の液体収容ユニットの状態を模式的に示す図。
【図１６】図１２の１６−１６線に沿った断面図。
【図１７】蓋体及びカバーが取り外された状態の第２の液体収容ユニットの正面図。
【図１８】ハウジングミドルの斜視図。
【図１９】カバー部材が取り付けられたハウジングミドルの斜視図。
【図２０】第２の液体収容ユニットに取り付けられる外板金の斜視図。
【図２１】内板金と外板金とが締結されるときの状態を示すハウジングミドルの左側面図。
【図２２】図１７の２２−２２線に沿った断面図。
【図２３】記録装置の上面図。
【図２４】記録装置の背面を示す記録装置の斜視図。
【図２５】記録装置の左側面図。
【図２６】外板金が取り付けられた第１の液体収容ユニットの斜視図。
【図２７】他の例の記録装置を上方からみたときの記録装置の構成を模式的に示す図。
【図２８】他の例の記録装置を上方からみたときの記録装置の構成を模式的に示す図。
【発明を実施するための形態】
【００２１】
以下、記録装置の一実施形態について図１〜図２６を参照して説明する。なお、本実施形態は、記録装置をインクジェット式プリンター（以下、単に「プリンター」という。）に具体化した例を示している。
【００２２】
図１に示すように、プリンターは、液体の一例であるインクを噴射することによって記録媒体の一例である用紙Ｐに記録を行う記録ユニット１００と、記録ユニット１００にインクを供給する２つの液体収容ユニット１４０，１９０とを備えている。
【００２３】
記録ユニット１００には樹脂製の筐体１０１が設けられ、筐体１０１にはインクを噴射して用紙Ｐに記録を行う記録部の一例である液体噴射ヘッド１０２や、液体噴射ヘッド１０２を支持するキャリッジ１０３が収容されている。また、筐体１０１には、ユーザーがプリンターを操作するための操作パネル１０４が設けられている。
【００２４】
なお、以下では、この操作パネル１０４におけるモニターやボタン等の表記が向けられている方向をプリンターや筐体１０１の正面とする。すなわち、操作パネル１０４は、筐体１０１における正面側に設けられている。
【００２５】
また、図１には、プリンターの奥行き方向及び高さ方向、並びにプリンターの奥行き方向及び高さ方向と直交する方向である幅方向を矢印でそれぞれ示している。
キャリッジ１０３は、筐体１０１の内部においてプリンターの幅方向に往復移動可能であり、キャリッジ１０３の移動に伴って液体噴射ヘッド１０２がプリンターの幅方向に往復移動しつつインクを噴射することによって用紙Ｐに記録（印刷）を行う。
【００２６】
また、筐体１０１の正面には、筐体１０１の内部において記録された用紙Ｐを筐体１０１の外部に排出する矩形状の排出口１０５が設けられている。排出口１０５から排紙された用紙Ｐは排紙トレイ１０６の上に載置される。また、筐体１０１の正面における排紙トレイ１０６の下方には、上下二段の給紙カセット１０７が着脱自在に装着されている。これら給紙カセット１０７には、複数枚の用紙Ｐを積層した状態で収容することができる。
【００２７】
また、記録ユニットの筐体１０１の上部には、所定の読みとり位置にセットされた原稿に記録されている画像を読みとるスキャナーが収容されたスキャナー部１０８が設けられている。
【００２８】
第１の液体収容ユニット１４０は、筐体１０１の右側面に取り付けられている。また、第２の液体収容ユニット１９０は、筐体１０１の左側面に取り付けられている。
図１及び図２に示すように、第１の液体収容ユニット１４０は、樹脂製のケース１４１と、同ケース１４１に格納された複数の液体収容体１５０とを有している。ケース１４１は、ケース１４１の底を形成する有底箱状の底形成部材１４２と、底形成部材１４２における筐体１０１と対向する側壁の上端に連結される側壁形成部材１４３と、底形成部材１４２の上端に回動可能に連結される蓋体１４４とによって構成されている。蓋体１４４は側壁形成部材１４３の上端と当接、離間することによりケース１４１を開閉する。なお、ケース１４１は、略直方体状に形成されている。
【００２９】
図２に示すように、ケース１４１に格納された液体収容体１５０は、カラーインクが収容された可撓性材料からなるインクバッグ１５１と、インクバッグ１５１の上端部に固定された矩形環状の取手部１５２とを備えている。第１の液体収容ユニット１４０には、液体収容体１５０として、プリンターの奥行き方向の手前側から順に、第１の液体収容体１５０Ａ、第２の液体収容体１５０Ｂ、及び第３の液体収容体１５０Ｃが取り付けられている。第１の液体収容体１５０Ａには例えばイエローインクが収容され、第２の液体収容体１５０Ｂには例えばマゼンダインクが収容され、第３の液体収容体１５０Ｃには例えばシアンインクが収容されている。
【００３０】
図３に示すように、ケース１４１の内側における側壁形成部材１４３の壁面には、液体収容体１５０が取り付けられる複数のステー１５３が設けられている。このステー１５３には、液体収容体１５０の取手部１５２が嵌め込まれることで液体収容体１５０が着脱可能に取り付けられる。すなわち、ステー１５３は液体収容体１５０を保持する液体収容体保持部として機能する。また、各ステー１５３には、インク供給チューブ１５４が接続されている。インク供給チューブ１５４は、ケース１４１の内面に設けられた各クランプ１５５によって湾曲した形状でそれぞれ支持されているとともに、側壁形成部材１４３に設けられたチューブ挿通孔１５６を通じてケース１４１外に引き回されている。なお、ケース１４１内には、ケース１４１内に引き回されているインク供給チューブ１５４を隠すカバーが取り付けられているが、図３では、このカバーと蓋体１４４とを取り外した状態を示している。
【００３１】
ケース１４１外に引き回されたインク供給チューブ１５４は、記録ユニット１００の筐体１０１の内部に導入されている。このため、ステー１５３に液体収容体１５０が取り付けられると、液体収容体１５０に収容されているインクがインク供給チューブ１５４を介して記録ユニット１００に供給されるようになる。記録ユニット１００に供給されたインクは、同記録ユニット１００に設けられたインク供給系を通じて液体噴射ヘッド１０２に供給されて同液体噴射ヘッド１０２から噴射される。
【００３２】
また、各ステー１５３には、フレキシブルフラットケーブルである個別ケーブル１５７の一端がそれぞれ接続されている。個別ケーブル１５７の他端は、ケース１４１の内面に設けられた中継基板１５８に着脱可能に接続されている。中継基板１５８には、同中継基板１５８を通じて各個別ケーブル１５７に電気的に接続されるフレキシブルフラットケーブルである統合ケーブル１５９が着脱可能に接続されている。統合ケーブル１５９は、ケース１４１に設けられたチューブ挿通孔１５６を通じてケース１４１外に引き回され、ケース１４１外において記録ユニット１００の筐体１０１の内部に導入されている。記録ユニット１００の内部に導入された統合ケーブル１５９は、筐体１０１の内部に設けられた情報伝達系を介してメイン基板と接続されている。すなわち、各ステー１５３とメイン基板とは、これらのケーブル等を通じて電気的に接続されている。
【００３３】
ここで、液体収容体１５０の取手部１５２には、インクバッグ１５１に収容されているインクの残量や種類等の情報を記憶するＩＣチップが設けられている。このため、液体収容体１５０がステー１５３に取り付けられると、ＩＣチップとメイン基板とが電気的に接続された状態となり、メイン基板はＩＣチップに記憶された情報に基づいてプリンターの各種制御を実行する。なお、メイン基板は液体収容体１５０に収容されているインクの残量が所定量以下になると液体収容体１５０の交換を促す信号を出力する。
【００３４】
ところで、図４に示すように、ケース１４１の筐体１０１と対向する外面である側壁形成部材１４３の壁面には、第１の板金部材の一例である外板金１６０が取り付けられている。また、プリンターの筐体１０１の内面には、第２の板金部材の一例である内板金１６１が取り付けられている。そして、これら外板金１６０と内板金１６１がねじによって締結されることによりケース１４１が筐体１０１に装着されている。
【００３５】
次に、図４〜図１６を参照して、第１の液体収容ユニット１４０を筐体１０１の右側面に固定する固定部の構造について詳細に説明する。
図４に示すように、記録ユニット１００の筐体１０１は、プリンターの土台となるベースフレーム１０９、ベースフレーム１０９の上方に取り付けられて同ベースフレーム１０９に支持されたハウジングミドル１１０、及びハウジングミドル１１０の上方に設けられてスキャナーが収容されたスキャナー部１０８とによって構成されている。
【００３６】
図５に示すように、ハウジングミドル１１０は、右側壁部１１１、左側壁部１１２、及び両側壁部１１１，１１２の上端に接続された天井部１１３を備えている。両側壁部１１１，１１２は、プリンターに組み付けられた状態で外部に露出しており、右側壁部１１１の壁面に第１の液体収容ユニット１４０が装着される。
【００３７】
右側壁部１１１には、その下端から切り欠かれた凹部１１４が設けられている。図４に示すように、この凹部１１４は、第１の液体収容ユニット１４０のケース１４１に設けられたチューブ挿通孔１５６と対向する位置に設けられている。このため、チューブ挿通孔１５６を通じてケース１４１外に引き回されたインク供給チューブ１５４及び統合ケーブル１５９は、ハウジングミドル１１０の凹部１１４を通じて筐体１０１の内部に導かれる。
【００３８】
また、図５に示すように、右側壁部１１１の下端には凹部１１４を挟むようにして２つの切り欠き部１１５Ａ，１１５Ｂが形成されている。
ところで、プリンターの幅が一定である場合には、プリンターを正面から見たときに奥の方が狭まって見える傾向がある。このため、ハウジングミドル１１０の右側壁部１１１は、プリンターの奥行き方向において、手前側及び奥行き側ほどプリンターの幅方向における長さが短くなるように、すなわち中央部分がプリンターの幅方向において外側に突出するように若干湾曲した形状で成形されている。また、ハウジングミドル１１０の右側壁部１１１は、プリンターの高さ方向の下方ほど外側に位置するように、すなわちプリンターの幅方向における長さが長くなるようにプリンターの高さ方向に対して若干傾斜した形状で成形されている。
【００３９】
こうした形状を有する右側壁部１１１には、内板金１６１が圧入される取り付け孔１１６が形成されている。なお、取り付け孔１１６は上方に２箇所、下方に２箇所の計４箇所に形成されている。
【００４０】
次に、図６を参照して取り付け孔１１６の構造について詳細に説明する。なお、図６は、下方に設けられた２つの取り付け孔１１６のうち筐体１０１の奥行き方向の手前側に位置する取り付け孔１１６Ａを筐体１０１の内側から見たときの拡大図である。
【００４１】
図６に示すように、取り付け孔１１６は、図６における左側に位置して図６の上下方向に延びる第１の取り付け孔１１７と、図６における右側に位置して第１の取り付け孔１１７よりも上下方向の長さが長い第２の取り付け孔１１８とからなる。そして、第１の取り付け孔１１７における上方の部分を上方孔部１１９、下方の部分を下方孔部１２０とすると、上方孔部１１９と下方孔部１２０との間には段差が形成され、上方孔部１１９と比べて下方孔部１２０が左側に位置している。また、第２の取り付け孔１１８は、第１の取り付け孔１１７側に位置する内側孔部１２１と、同内側孔部１２１よりも上下方向に長い取付孔部１２２と、同取付孔部１２２よりも上方に延びる外側孔部１２３とを有している。なお、内側孔部１２１、取付孔部１２２、及び外側孔部１２３は、上端及び下端の位置がそれぞれ異なっており、それらの接続部分に段差が形成されている。なお、取付孔部１２２と外側孔部１２３との段差のうち図６の下方側に形成された段差１２４には傾斜が付けられている。また、第１の取り付け孔１１７及び第２の取り付け孔１１８の間には略円形状のねじ挿通孔１２５が設けられている。
【００４２】
図７（ａ）及び（ｂ）に示すように、内板金１６１は、ねじを締結するためのねじ孔１６２が設けられた天板部１６３を有している。図７（ａ）に示すように、天板部１６３は、ねじ孔１６２が設けられた幅狭部１６３Ａと、幅狭部１６３Ａよりも拡幅された幅広部１６３Ｂとを有している。そして、図７（ｂ）に示すように、幅狭部１６３Ａには、同幅狭部１６３Ａから略垂直に延びてその端部が外方に屈曲した第１の保持部１６４が設けられている。また、幅広部１６３Ｂには、同幅広部１６３Ｂから略垂直に延びてその端部が外方に屈曲した第２の保持部１６５が設けられている。この第２の保持部１６５と幅広部１６３Ｂとの接続部分には、その中央に内板金１６１の縦方向（図７（ａ）の上下方向）に延びる長孔１６６が形成されている。すなわち、長孔１６６は、縦方向（図７（ａ）の上下方向）の長さと横方向（図７（ａ）の左右方向）の長さとが異なっている。
【００４３】
次に、図８を参照して、ハウジングミドル１１０の右側壁部１１１への内板金１６１の取り付け方法の一例を説明する。
ハウジングミドル１１０の右側壁部１１１に内板金１６１を取り付ける際にはまず、図８（ａ）に示すように、内板金１６１の第１の保持部１６４を、右側壁部１１１に設けられた第１の取り付け孔１１７の上方孔部１１９に挿入する。そして、図８（ｂ）に示すように、内板金１６１の天板部１６３と右側壁部１１１の壁面とを対向させるように内板金１６１を倒し、内板金１６１の第２の保持部１６５を右側壁部１１１に設けられた第２の取り付け孔１１８の外側孔部１２３に挿入する。その後、図８（ｃ）に示すように、内板金１６１の第２の保持部１６５側を図８における下方にスライドさせる。このとき、第２の取り付け孔１１８の外側孔部１２３と取付孔部１２２との間の段差１２４が傾斜しているため、内板金１６１はこの傾斜に沿って取付孔部１２２に案内される。その後、図８（ｄ）に示すように、内板金１６１の全体を下方にスライドさせて第２の保持部１６５を取付孔部１２２の下端まで押し込む。なお、こうして内板金１６１を下方にスライドさせたときには、内板金１６１の第１の保持部１６４が第１の取り付け孔１１７の下方孔部１２０に徐々に挿入される。その後、図８（ｅ）に示すように、第１の保持部１６４を下方孔部１２０の下端まで押し込む。図８（ｅ）及び（ｆ）に示すように、内板金１６１が取り付け孔１１６の下端まで押し込まれると、内板金１６１に設けられたねじ孔１６２が右側壁部１１１に設けられたねじ挿通孔１２５と重なった状態になるとともに、内板金１６１の長孔１６６が第２の取り付け孔１１８の内側孔部１２１と重なった状態になる。なお、図８（ｆ）は、図８（ｅ）の状態を反対側から見た状態、すなわち筐体１０１の外側から見た状態を示している。
【００４４】
ここで、第１の取り付け孔１１７の下方孔部１２０と第２の取り付け孔１１８の取付孔部１２２との間の距離は、内板金１６１の天板部１６３の横方向（図８の左右方向）における長さよりも短い。このため、こうして内板金１６１が取り付け孔１１６に取り付けられると、第１の取り付け孔１１７及び第２の取り付け孔１１８によって内板金１６１が挟み込まれた状態となる。また、第１の取り付け孔１１７や第２の取り付け孔１１８には段差が形成されているため、内板金１６１が取り付け孔１１６の下端まで押し込まれると内板金１６１の上端部が段差に引っかかり抜けにくくなる。このため、こうした構成の取り付け孔１１６に内板金１６１が一旦圧入されると、内板金１６１は取り付け孔１１６に保持されて外れにくくなる。
【００４５】
図９には、右側壁部１１１の取り付け孔１１６の全てに内板金１６１を取り付けた後の状態を示している。図９に示すように、上方に設けられている２つの取り付け孔１１６は、下方に設けられている各取り付け孔１１６とは異なる向きで設けられている。そのため、右側壁部１１１に取り付けられている内板金１６１のうち上方の取り付け孔１１６に圧入されている内板金１６１は、他の内板金１６１と長孔１６６の延びている向きが異なっている。より詳細には、上方の取り付け孔１１６に圧入されている内板金１６１の長孔１６６は図９の左右方向（筐体１０１の奥行き方向）に延びており、下方の取り付け孔１１６に圧入されている内板金１６１の長孔１６６は図９の上下方向（筐体１０１の高さ方向）に延びている。なお、右側壁部１１１には、下方に設けられた各取り付け孔１１６の間に筐体１０１の高さ方向に延びる縦孔１２６が設けられている。
【００４６】
次に、図１０を参照して、内板金１６１と締結される外板金１６０の構成について説明する。
図１０に示すように、外板金１６０は、プリンターの高さ方向の上方に位置する上方板部１６７と、下方に位置する下方板部１６８とを有している。上方板部１６７は下方板部１６８と段差を介して接続されており、上方板部１６７は下方板部１６８に対してプリンターの幅方向における外側に位置する。下方板部１６８には、ハウジングミドル１１０の右側壁部１１１の下方に設けられた内板金１６１とねじによって締結される締結部１６９が設けられている。この締結部１６９は、プリンターの奥行き方向における手前側から第１の締結部１６９Ａ及び第２の締結部１６９Ｂの順に並んでいる。また、上方板部１６７には、ハウジングミドル１１０の右側壁部１１１の上方に設けられた内板金１６１とねじによって締結される締結部１７０が設けられている。この締結部１７０は、プリンターの奥行き方向における手前側から第３の締結部１７０Ａ及び第４の締結部１７０Ｂの順に並んでいる。
【００４７】
第１の締結部１６９Ａは、下方板部１６８の基準面１７１に設けられた円形のねじ孔１７２を有している。また、第２の締結部１６９Ｂは、下方板部１６８の基準面１７１よりもプリンターの幅方向における内側に突出しており、その底面にねじ孔１７２が設けられている。
【００４８】
一方、上方板部１６７に設けられた第３の締結部１７０Ａは、上方板部１６７の基準面１７３よりもプリンターの幅方向における内側に突出している。なお、その突出度合いは、下方板部１６８の基準面１７１と上方板部１６７の基準面１７３との段差と同じになっている。そのため、第３の締結部１７０Ａの底面に設けられたねじ孔１７２は、第１の締結部１６９Ａのねじ孔１７２と、基準面１７１及び基準面１７３に垂直な方向である外板金１６０の厚さ方向における位置が揃えられている。
【００４９】
また、第４の締結部１７０Ｂは、上方板部１６７の基準面１７３よりもプリンターの幅方向における内側に突出している。なお、その突出度合いは、第３の締結部１７０Ａよりも大きく、第４の締結部１７０Ｂの底面は、下方板部１６８の基準面１７１よりもプリンターの幅方向における内側に位置している。そして、第４の締結部１７０Ｂの底面に設けられたねじ孔１７２は、第２の締結部１６９Ｂの底面に設けられたねじ孔１７２と外板金１６０の厚さ方向における位置が揃えられている。
【００５０】
また、第１の締結部１６９Ａと第２の締結部１６９Ｂとの間には、ハウジングミドル１１０の右側壁部１１１に設けられた縦孔１２６に対応してプリンターの高さ方向に延びた形状を有し、プリンターの幅方向における内側に突出した突出部１７４が設けられている。また、第３の締結部１７０Ａ及び第４の締結部１７０Ｂには、その上端に内板金１６１の長孔１６６に対応してプリンターの奥行き方向に延びた形状を有し、プリンターの幅方向における内側に突出した突出部１７５がそれぞれ設けられている。
【００５１】
また、外板金１６０の上端部には、ケース１４１の内面にねじによってステー１５３を締結するときにケース１４１を貫通したねじと螺合する複数のボス部１７６が設けられている。また、外板金１６０の下方板部１６８の上端部には、プリンターの幅方向における外側に屈曲した複数のねじ止め部１７７が設けられている。一方、下方板部１６８の下端部には、下方板部１６８の基準面１７１からプリンターの幅方向における内側に屈曲してその先端が下方に延びる複数の挿通部１７８が設けられており、プリンターの奥行き方向の手前側の部分には、切り欠き１７９が形成されている。
【００５２】
次に、図１１を参照して、外板金１６０と内板金１６１との締結方法の一例について説明する。
図１１に示すように、ハウジングミドル１１０の下端がベースフレーム１０９によって支持されている状態で、まず、外板金１６０の下端に設けられた複数の挿通部１７８をハウジングミドル１１０の右側壁部１１１の下端に設けられた切り欠き部１１５Ａ，１１５Ｂにそれぞれ差し込む。また、外板金１６０の複数の挿通部１７８のうちの１つをベースフレーム１０９に設けられた支持孔１２７に挿通する。これにより、外板金１６０の下端は筐体１０１によって下方から支持される。そして、外板金１６０の第３の締結部１７０Ａ及び第４の締結部１７０Ｂに設けられた突出部１７５をハウジングミドル１１０の右側壁部１１１の上方に設けられた２つの内板金１６１の長孔１６６に挿通する。右側壁部１１１の取り付け孔１１６に設けられた内側孔部１２１は内板金１６１の長孔１６６と重なっているため、こうして長孔１６６に挿入された突出部１７５は、内側孔部１２１にも挿入されてハウジングミドル１１０の右側壁部１１１を貫通する。
【００５３】
また、外板金１６０の第１の締結部１６９Ａ及び第２の締結部１６９Ｂの間に設けられた突出部１７４をハウジングミドル１１０の右側壁部１１１に設けられた縦孔１２６に挿通する。内板金１６１の長孔１６６と右側壁部１１１の縦孔１２６とは、孔の延びる方向が異なっているため、これらの孔に突出部１７４，１７５をそれぞれ挿通することにより、内板金１６１、及び右側壁部１１１に対する外板金１６０の位置を、プリンターの高さ方向と奥行き方向の双方であわせることができる。そして、第１〜第４の締結部の各ねじ孔１７２、ハウジングミドル１１０のねじ挿通孔１２５、内板金１６１のねじ孔１６２に外板金１６０側からねじを挿通して内板金１６１と外板金１６０とを締結する。こうして内板金１６１と外板金１６０とが締結されると、ハウジングミドル１１０の右側壁部１１１は外板金１６０と内板金１６１とによって挟まれた状態となる。
【００５４】
また、内板金１６１の第１の保持部１６４及び第２の保持部１６５の先端は、右側壁部１１１の壁面よりも外側に突出している。外板金１６０には内板金１６１の第１の保持部１６４及び第２の保持部１６５の先端と重なる部分に複数の孔部１８０が設けられている。このため、外板金１６０と内板金１６１とが締結された状態では、外板金１６０の孔部１８０から内板金１６１の先端が露出する。
【００５５】
こうした状態において外板金１６０の下端に設けられた切り欠き１７９は、ハウジングミドル１１０の右側壁部１１１の凹部１１４、すなわちケース１４１のチューブ挿通孔１５６と重なっている。このため、外板金１６０と内板金１６１とが締結されているときに、外板金１６０によってチューブ挿通孔１５６が覆われてしまうことはなく、インク供給チューブ１５４や統合ケーブルを切り欠き１７９及びチューブ挿通孔１５６を通じて筐体１０１内に導入することができる。
【００５６】
図１２に示すように、第１の液体収容ユニット１４０のケース１４１は、ケース１４１の内側から挿通された複数のねじによって外板金１６０と締結されている。また、ケース１４１の内面には複数のステー１５３が固定されている。ステー１５３の上端をケース１４１に固定しているねじ１２８は、ケース１４１を貫通して外板金１６０に設けられたボス部１７６と螺合している。このため、ステー１５３の上端部をケース１４１に固定しているねじ１２８は、ケース１４１とステー１５３とを固定するだけでなく、ケース１４１と外板金１６０とを固定している。
【００５７】
また、ケース１４１には、ステー１５３の下端部と対向する部分に孔があけられており、この部分から外板金１６０のねじ止め部１７７が露出している。ステー１５３の下端部はこのねじ止め部１７７にねじを介して締結されている。
【００５８】
このように、筐体１０１の内面に取り付けられた内板金１６１と、第１の液体収容ユニット１４０のケース１４１の外面に取り付けられた外板金１６０とをそれぞれ取り付け、内板金１６１と外板金１６０とを締結させることによって筐体１０１とケース１４１とを固定している。そのため、これらの板金によって補強されている分だけ、筐体１０１とケース１４１とを直接締結する場合と比べて筐体１０１とケース１４１とを固定している部分の強度が高くなっている。また、内板金１６１及び外板金１６０を介して筐体１０１とケース１４１とがねじによって締結されているため、筐体１０１とケース１４１とを直接締結する場合と比べて、ねじを介して伝わる荷重が各板金を介して筐体１０１及びケース１４１の広い範囲に分散されている。
【００５９】
また、ケース１４１の側壁形成部材１４３には、ステー１５３と重ならない部分に切り欠き孔１２９が形成されている。外板金１６０及び内板金１６１は、それぞれに形成されているねじ孔１６２，１７２が切り欠き孔１２９と重なるように配設され、外板金１６０側から各ねじ孔１６２，１７２に挿通されたねじ１３１によって外板金１６０と内板金１６１とが締結されている。このため、ケース１４１と筐体１０１とを締結しているねじ１３１の頭部はケース１４１に設けられた切り欠き孔１２９を通じて露出した状態になっている。
【００６０】
こうした構成を備える第１の液体収容ユニット１４０では、ケース１４１に取り付けられたステー１５３を取り外さなくても、外板金１６０と内板金１６１とを締結するねじ１３１をケース１４１の内部から締めたり緩めたりすることができる。このため、外板金１６０と内板金１６１との締結を解除するだけで、図４に示すように、ケース１４１の外面に外板金１６０を固定したままケース１４１を筐体１０１から取り外すことができる。したがって、記録ユニット１００のメンテナンス等をする際の作業性が向上する。
【００６１】
次に、図１３及び図１４を参照して、筐体１０１とケース１４１との固定部の構造について説明する。なお、図１３は図１２における第１の締結部１６９Ａ及び第３の締結部１７０Ａを結ぶ線に沿った断面構造を模式的に示した図であり、図１４は図１２における第２の締結部１６９Ｂ及び第４の締結部１７０Ｂを結ぶ線に沿った断面構造を模式的に示した図である。
【００６２】
図１３に示すように、ハウジングミドル１１０の右側壁部１１１は、プリンターの高さ方向に対して下方ほど外側に位置するように、プリンターの高さ方向に対して傾斜角度θ１で傾斜している。そして、右側壁部１１１には筐体１０１の内側から内板金１６１が取り付けられている。すなわち、ハウジングミドル１１０の内面には内板金１６１が取り付けられている。
【００６３】
また、外板金１６０における第１の締結部１６９Ａが下方板部１６８の基準面１７１に設けられているため、外板金１６０の下方板部１６８は、ハウジングミドル１１０の外面に当接しているとともに、ケース１４１の外面から離間した状態でねじ１３１によって締結されている。下方板部１６８に接続されている上方板部１６７は、下方板部１６８よりもプリンターの幅方向外側に位置している。このため、上方板部１６７はハウジングミドル１１０の外面から離間しているとともに、ケース１４１の外面に当接している。第３の締結部１７０Ａは、上方板部１６７からハウジングミドル１１０側に突出しており、その底面がハウジングミドル１１０の外面と当接した状態で内板金１６１とねじ１３１によって締結されている。上述したように、基準面１７３からの第３の締結部１７０Ａの突出度合いは、基準面１７１と基準面１７３との段差と同じになっており、第３の締結部１７０Ａの底面に設けられたねじ孔１７２は、第１の締結部１６９Ａのねじ孔１７２と外板金１６０の厚さ方向における位置が揃えられている。そのため、上方板部１６７と当接しているケース１４１の外面から第１の締結部１６９Ａ及び第３の締結部１７０Ａまでの距離は等しい。したがって、第１の液体収容ユニット１４０のケース１４１は、プリンターの高さ方向に対して傾斜している筐体１０１の右側面に沿うように、プリンターの高さ方向に対して傾斜角度θ１と等しい角度で傾斜した状態で筐体１０１に装着されている。
【００６４】
一方、図１４に示すように、第２の締結部１６９Ｂが設けられている部分では、第２の締結部１６９Ｂが下方板部１６８の基準面１７１よりもプリンターの幅方向の内側に位置しているため下方板部１６８がハウジングミドル１１０の外面からも離間した状態となる。また、上述したように、基準面１７３からの第４の締結部１７０Ｂの突出度合いが、第３の締結部１７０Ａの突出度合いよりも大きく、第４の締結部１７０Ｂの底面に設けられたねじ孔１７２は、第２の締結部１６９Ｂの底面に設けられたねじ孔１７２と外板金１６０の厚さ方向における位置が揃えられている。したがって、図１５に示すように、第１の締結部１６９Ａ及び第３の締結部１７０Ａが設けられている部分と比べて、第２の締結部１６９Ｂ及び第４の締結部１７０Ｂが設けられている部分では筐体１０１からケース１４１までの距離Ｌが長くなっている。すなわち、ケース１４１の外面がプリンターの奥行き方向における手前側ほどプリンターの幅方向における内側に位置するようにケース１４１がプリンターの奥行き方向に対して傾斜した状態で筐体１０１に装着されている。このように、ケース１４１の外面から同ケース１４１が装着されている筐体１０１の右側面までの距離Ｌがプリンター奥行き方向における手前側ほど短くなっているため、ケース１４１をプリンターの奥行き方向に対して傾けずに装着する場合と比較して、正面から見える筐体１０１とケース１４１との隙間が小さくなっている。
【００６５】
また、ケース１４１は略直方体状に形成されているため、上述したようにケース１４１がプリンターの奥行き方向に傾斜していると、ケース１４１を含むプリンターの幅が、同プリンターの奥行き方向における奥側ほど大きくなる。このため、正面から見たときにプリンターの側壁が凹んでいると錯覚されにくくなっている。
【００６６】
また、図１６に示すように、筐体１０１の上方に設けられたスキャナー部１０８と、ケース１４１の外面に取り付けられている外板金１６０とは対向しているものの、外板金１６０の上方板部１６７はケース１４１側に屈曲して設けられているため、スキャナー部１０８と外板金１６０との間には間隙が設けられている。
【００６７】
外板金１６０が筐体１０１の壁面に当接していると、ケース１４１の内側から外板金１６０とケース１４１とをねじによって締結するときに外板金１６０を貫通したねじが筐体１０１の壁面に干渉してしまう。この点、本実施形態では、ハウジングミドル１１０の壁面に逃がし孔１３０が設けられている。このため、同ハウジングミドル１１０の壁面と当接する外板金１６０の下方板部１６８にケース１４１がねじによって締結されても同ねじがハウジングミドル１１０の壁面と干渉しないようになっている。
【００６８】
一方、スキャナー部１０８と外板金１６０との間には隙間があるため、ケース１４１と外板金１６０とをねじによって締結しても、ねじの先端がスキャナー部１０８の壁面と干渉しにくい。このため、スキャナー部１０８の壁面には逃がし孔１３０が設けられていない。
【００６９】
次に、筐体１０１の左側面に取り付けられている第２の液体収容ユニット１９０について説明する。
図１及び図４に示すように、第２の液体収容ユニット１９０は、第１の液体収容ユニット１４０と同様に樹脂製のケース１９１を備えている。ケース１９１は、ケース１９１の底を形成する有底箱状の底形成部材１９２と、底形成部材１９２における筐体１０１と対向する側壁の上端に連結される側壁形成部材１９３と、底形成部材１９２の上端に回動可能に連結される蓋体１９４とによって構成されている。蓋体１９４は側壁形成部材１９３の上端と当接、離間することによりケース１９１を開閉する。なお、ケース１９１は、略直方体状に形成されている。
【００７０】
ケース１９１には、液体収容体が格納されている。液体収容体は、例えばブラックインクが収容されており、第１の液体収容ユニット１４０に設けられた液体収容体１５０よりも容量が大きい可撓性材料からなるインクバッグと、インクバッグの上端部に固定された矩形環状の取手部とを備えている。
【００７１】
図１７に示すように、ケース１９１の内側における側壁形成部材１９３の壁面には、液体収容体が取り付けられるステー１９５が１つ固定されている。このステー１９５に液体収容体の取手部が嵌め込まれることで液体収容体が着脱可能に取り付けられる。すなわち、このステー１９５は液体収容体を保持する液体収容体保持部として機能する。また、ステー１９５には、インク供給チューブ１９６が接続されている。インク供給チューブ１９６は、ケース１９１の内面に設けられたクランプ１９７によって湾曲した形状で支持されているとともに、側壁形成部材１９３においてプリンターの奥行き方向手前側に設けられたチューブ挿通孔１９８を通じてケース１９１外に引き回されている。なお、ケース１９１内には、ケース１９１内に引き回されているインク供給チューブ１９６を隠すカバーが取り付けられているが、図１７では、このカバーと蓋体１９４とを取り外した状態を示している。
【００７２】
ケース１９１外に引き回されたインク供給チューブ１９６は、記録ユニット１００の筐体１０１の内部に導入されている。このため、ステー１９５に液体収容体が取り付けられると、液体収容体に収容されているインクがインク供給チューブ１９６を介して記録ユニット１００に供給されるようになる。記録ユニット１００に供給されたインクは、同記録ユニット１００に設けられたインク供給系を通じて液体噴射ヘッド１０２に供給されて同液体噴射ヘッド１０２から噴射される。
【００７３】
また、ステー１９５には、フレキシブルフラットケーブルである個別ケーブルの一端が接続されている。個別ケーブルは、ケース１９１に設けられたチューブ挿通孔１９８を通じてケース１９１外に引き回され、ケース１９１外において記録ユニット１００の筐体１０１の内部に導入されている。記録ユニット１００の内部に導入された個別ケーブルは、筐体１０１の内部に設けられた情報伝達系を介してメイン基板と接続されている。
【００７４】
このステー１９５に取り付けられる液体収容体の取手部にも、インクバッグに収容されているインクの残量や種類等の情報を記憶するＩＣチップが設けられている。このため、液体収容体がステー１９５に取り付けられると、ＩＣチップとメイン基板とが電気的に接続された状態となる。そして、メイン基板はＩＣチップに記憶された情報に基づいてプリンターの各種制御を実行する。なお、メイン基板は第２の液体収容ユニット１９０に設けられている液体収容体に収容されているインクの残量が所定量以下になると液体収容体の交換を促す信号を出力する。
【００７５】
第２の液体収容ユニット１９０は、第１の液体収容ユニット１４０と同様に、ケース１９１の外面に取り付けられた外板金１９９（図２０参照）と、筐体１０１の左側面に内側から取り付けられた内板金１６１とをねじによって締結することにより筐体１０１に装着されている。なお、筐体１０１の左側面に取り付けられている内板金１６１は、筐体１０１の右側面に取り付けられている内板金１６１と同じものである。また、上述したように、記録ユニット１００の筐体１０１を構成するハウジングミドル１１０の左側壁部１１２は、プリンターに組み付けられた状態で外部に露出しており、この左側壁部１１２の壁面に第２の液体収容ユニット１９０が装着されている。
【００７６】
図１８に示すように、ハウジングミドル１１０の左側壁部１１２には、プリンターの奥行き方向の手前側から切り欠かれた凹部２００が設けられている。この凹部２００は、第２の液体収容ユニット１９０のケース１９１に設けられたチューブ挿通孔１９８と対向する位置に設けられている。このため、チューブ挿通孔１９８を通じてケース１９１外に引き回されたインク供給チューブ１９６及び個別ケーブルは、ハウジングミドル１１０の左側壁部１１２に設けられた凹部２００を通じて筐体１０１の内部に導かれる。
【００７７】
また、左側壁部１１２には、下端から切り欠かれた２つの切り欠き部２０１Ａ，２０１Ｂが形成されている。
ハウジングミドル１１０の左側壁部１１２も、右側壁部１１１と同様に、プリンターの奥行き方向において、手前側及び奥行き側ほどプリンターの幅方向における長さが短くなるように、すなわち中央部分がプリンターの幅方向において外側に突出するように若干湾曲した形状で成形されている。また、左側壁部１１２は、プリンターの高さ方向の下方ほど外側に位置するように、すなわちプリンターの幅方向における長さが長くなるようにプリンターの高さ方向に対して若干傾斜した形状で成形されている。
【００７８】
こうした形状を有する左側壁部１１２には、右側壁部１１１に設けられた取り付け孔１１６と同じ形状の取り付け孔２０２が設けられている。なお、取り付け孔２０２は上方に２箇所、下方に２箇所の計４箇所に設けられている。なお、略円形状のねじ挿通孔２０３も同様に設けられている。そして、これらの取り付け孔２０２には、例えば上述した方法と同じ方法で内板金１６１が圧入されている。このため、内板金１６１が取り付け孔２０２に圧入された状態では、内板金１６１に設けられたねじ孔１６２と左側壁部１１２に設けられたねじ挿通孔２０３とが重なっており、内板金１６１の長孔１６６と取り付け孔２０２の内側孔部１２１とが重なっている。
【００７９】
図１８には、左側壁部１１２の取り付け孔２０２の全てに内板金１６１を取り付けた後の状態を示している。図１８に示すように、上方に設けられている２つの取り付け孔２０２は、下方に設けられている各取り付け孔２０２とは異なる向きで設けられている。そのため、左側壁部１１２に取り付けられている内板金１６１のうち上方の取り付け孔２０２に圧入されている内板金１６１は、他の内板金１６１と長孔１６６の延びている向きが異なっている。より詳細には、上方の取り付け孔２０２に圧入されている内板金１６１の長孔１６６は図１８の左右方向（筐体１０１の奥行き方向）に延びており、下方に圧入されている内板金１６１の長孔１６６は図１８の上下方向（筐体１０１の高さ方向）に延びている。
【００８０】
また、図１９に示すように、ハウジングミドル１１０には、筐体１０１を正面から見たときに、記録ユニット１００においてインク供給チューブ１９６が挿入されている左側面側の部分を隠すカバー部材２０４が取り付けられている。このカバー部材２０４は、筐体１０１の左側面の一部を構成しており、このカバー部材２０４によって、ハウジングミドル１１０の左側壁部１１２に設けられた凹部２００の開口が塞がれている。
【００８１】
次に、図２０を参照して、左側壁部１１２に圧入されている内板金１６１と締結される第２の液体収容ユニット１９０の外板金１９９の構成について説明する。
図２０に示すように、第２の液体収容ユニット１９０の外板金１９９は、第１の液体収容ユニット１４０の外板金１６０とは異なり、上方側の部分と下方側の部分との間に段差が設けられていない。この外板金１９９には、ハウジングミドル１１０の左側壁部１１２に設けられた４つの内板金１６１と対向する位置に、４つの締結部２０５が設けられている。これら締結部２０５には円形のねじ孔２０６がそれぞれ設けられている。また、各締結部２０５の端部には、内板金１６１の長孔１６６に対応した形状を有し、プリンターの幅方向における内側に突出した突出部２０７がそれぞれ設けられている。
【００８２】
外板金１９９の上端部には、ケース１９１の内面にねじによってステー１９５を締結するときにケース１９１を貫通したねじと螺合する２つのボス部２０８が設けられている。また、外板金１９９の中央部には、プリンターの幅方向における外側に屈曲した２つのねじ止め部２０９が設けられている。一方、外板金１９９の下端部には、プリンターの幅方向における内側に屈曲してその先端が下方に延びる２つの挿通部２１０が設けられている。
【００８３】
次に、図２１を参照して、ハウジングミドル１１０の左側壁部１１２に圧入されている内板金１６１と第２の液体収容ユニット１９０の外板金１９９との締結方法の一例について説明する。
【００８４】
図２１に示すように、ハウジングミドル１１０の下端がベースフレーム１０９によって支持されている状態で、まず、外板金１９９の下端に設けられた２つの挿通部２１０をハウジングミドル１１０の左側壁部１１２の下端に設けられた切り欠き部２０１Ａ，２０１Ｂにそれぞれ差し込む。これにより、外板金１９９の下端は筐体１０１によって下方から支持される。そして、外板金１９９の各締結部２０５に設けられた突出部２０７を内板金１６１の長孔１６６に挿通する。左側壁部１１２の取り付け孔２０２に設けられた内側孔部１２１は内板金１６１の長孔１６６と重なっているため、こうして長孔１６６に挿入された突出部２０７は、内側孔部１２１にも挿入されてハウジングミドル１１０の左側壁部１１２を貫通する。
【００８５】
また、左側壁部１１２の上方の取り付け孔２０２に圧入された内板金１６１の長孔１６６の延びる方向と、下方の取り付け孔２０２に圧入された内板金１６１の長孔１６６の延びる方向とは異なっている。このため、これらの長孔１６６に突出部２０７を挿通することにより、内板金１６１、及び左側壁部１１２に対する外板金１９９の位置を、プリンターの高さ方向と奥行き方向の双方であわせることができる。そして、各締結部２０５のねじ孔２０６、ハウジングミドル１１０のねじ挿通孔２０３、及び内板金１６１のねじ孔１６２に外板金１９９側からねじを挿通して内板金１６１と外板金１９９とを締結する。こうして内板金１６１と外板金１９９とが締結されると、ハウジングミドル１１０の左側壁部１１２は外板金１９９と内板金１６１とによって挟まれた状態となる。
【００８６】
また、内板金１６１の先端は、左側壁部１１２の壁面よりも外側に突出している。外板金１９９には内板金１６１の先端と重なる部分に複数の孔部２１１が設けられている。このため、外板金１９９と内板金１６１とが締結された状態では、外板金１９９の孔部２１１から内板金１６１の先端が露出する。
【００８７】
また、内板金１６１と外板金１９９とが締結された状態では、外板金１９９が左側壁部１１２の凹部２００にまで達しないため、外板金１９９によって凹部２００が覆われてしまうことはなく、インク供給チューブ１９６や個別ケーブルを筐体１０１内に導入する際に、外板金１９９が邪魔になることはない。
【００８８】
図１７に示すように、第２の液体収容ユニット１９０のケース１９１はケース１９１の内側から挿通された複数のねじによって外板金１９９と締結されている。また、ケース１９１の内面にはステー１９５が固定されている。ステー１９５の上端をケース１９１に固定しているねじ２２０は、ケース１９１を貫通して外板金１９９に設けられたボス部２０８と螺合している。このため、ステー１９５の上端部をケース１９１に固定しているねじ２２０は、ケース１９１とステー１９５とを固定するだけでなく、ケース１９１と外板金１９９とを固定している。
【００８９】
また、ケース１９１には、ステー１９５の下端部と対向する部分に孔があけられており、この部分から外板金１９９のねじ止め部２０９が露出している。ステー１９５の下端部はこのねじ止め部２０９にねじによって締結されている。
【００９０】
このように、筐体１０１の内面に取り付けられた内板金１６１と、第２の液体収容ユニット１９０のケース１９１の外面に取り付けられた外板金１９９とをそれぞれ取り付け、内板金１６１と外板金１９９とを締結させることによって筐体１０１とケース１９１とを固定している。そのため、これらの板金によって補強されている分だけ、筐体１０１とケース１９１とを直接締結する場合と比べて筐体１０１とケース１９１とを固定している部分の強度が高くなっている。また、内板金１６１及び外板金１９９を介して筐体１０１とケース１９１とがねじによって締結されているため、筐体１０１とケース１９１とを直接締結する場合と比べて、ねじを介して伝わる荷重が各板金を介して筐体１０１及びケース１９１の広い範囲に分散されている。
【００９１】
また、ケース１９１の側壁形成部材１９３には、ステー１９５と重ならない部分に切り欠き孔２１２が形成されている。外板金１９９及び内板金１６１は、それぞれに形成されているねじ孔２０６，１６２が切り欠き孔２１２と重なるように配設され、外板金１９９側から各ねじ孔２０６，１６２に挿通されたねじ２２１によって外板金１９９と内板金１６１とが締結されている。このため、ケース１９１と筐体１０１とを締結しているねじ２２１の頭部はケース１９１に設けられた切り欠き孔２１２を通じて露出した状態になっている。
【００９２】
こうした構成を備える第２の液体収容ユニット１９０では、ケース１９１に取り付けられたステー１９５を取り外さなくても、外板金１９９と内板金１６１とを締結するねじ２２１をケース１９１の内部から締めたり緩めたりすることができる。このため、外板金１９９と内板金１６１との締結を解除するだけで、ケース１９１の外面に外板金１９９を固定したままケース１９１を筐体１０１から取り外すことができる。したがって、記録ユニット１００のメンテナンス等をする際の作業性が向上する。
【００９３】
また、図２２に示すように、第２の液体収容ユニット１９０のケース１９１の外面は外板金１９９とほぼ全面で当接し、筐体１０１も外板金１９９とほぼ全面で当接している。このため、ハウジングミドル１１０の壁面には逃がし孔２１３が設けられ、ケース１９１の内側から挿通したねじによってケース１９１と外板金１９９とを締結するときに外板金１９９を貫通したねじがハウジングミドル１１０の壁面に干渉しないようにしている。
【００９４】
また、ハウジングミドル１１０の左側壁部１１２は、プリンターの高さ方向に対して下方ほど外側に位置するようにプリンターの高さ方向に対して傾斜している。このため、左側壁部１１２に沿って装着された第２の液体収容ユニット１９０は左側壁部１１２の傾斜角度と等しい角度でプリンターの高さ方向に対して傾斜した状態で筐体１０１に装着されている。
【００９５】
ところで、図２３に示すように、プリンターの奥行き方向における第２の液体収容ユニット１９０の長さは、第１の液体収容ユニット１４０に比して短い。本実施形態では、第２の液体収容ユニット１９０のケース１９１をプリンターの奥行き方向に対して傾斜させずに筐体１０１の左側面に装着している。
【００９６】
また、図２３に示すように、プリンターの奥行き方向において、第１の液体収容ユニット１４０、並びに第２の液体収容ユニット１９０は、筐体１０１の最も手前側の部分よりも奥側に位置している。このため、筐体１０１よりもケース１４１，１９１が手前側に飛び出した形状にならず、ケース１４１，１９１が邪魔になりにくい。
【００９７】
図２４及び図２５に示すように、プリンターの筐体１０１の背面には、左側面側の端部に電源コード２１４が接続される差し込み口２１５が設けられている。また、筐体１０１の背面には、用紙Ｐを載置するための載置トレイ２１６や同載置トレイ２１６に載置された用紙Ｐを筐体１０１内に送る紙送り部２１７等が設けられている。載置トレイ２１６や紙送り部２１７は、差し込み口２１５よりもプリンターの奥行き方向の奥側に突出している。このため、左側面に装着される第２の液体収容ユニット１９０が筐体１０１の差し込み口２１５よりも奥側に大きく突出している場合には、差し込み口２１５の両側部が塞がれた状態になってしまうため、差し込み口２１５への電源コード２１４の抜き差しがしにくくなるおそれがある。本実施形態では、プリンターの奥行き方向において第２の液体収容ユニット１９０が差し込み口２１５よりも奥側に位置しないように、同液体収容ユニット１９０が筐体１０１の左側面に装着されているため、ユーザーは差し込み口２１５にアクセスしやすくなり電源コード２１４の抜き差し等が容易になる。
【００９８】
また、図２４及び図２６に示すように、第１の液体収容ユニット１４０のケース１４１は、プリンターの奥行き方向における奥側に飛び出した状態で筐体１０１に装着されている。このため、ケース１４１の外面には、奥側に飛び出した部分を覆う化粧板２１８が取り付けられている。また、図２６に示すように、外板金１６０の上端には封止部材の一例であるスポンジ２１９が取り付けられている。このため、第１の液体収容ユニット１４０が筐体１０１に取り付けられると、ケース１４１と筐体１０１との間にスポンジ２１９が挟み込まれた状態となる。これにより、筐体１０１とケース１４１との隙間が塞がれる。
【００９９】
以上説明した第１の実施形態によれば、以下の作用効果が得られるようになる。
（１）第１の液体収容ユニット１４０のケース１４１の外面がプリンターの奥行き方向における手前側ほどプリンターの幅方向における内側に位置するようにケース１４１がプリンターの奥行き方向に対して傾斜した状態で筐体１０１の右側面に装着されている。すなわち、プリンターを正面から見たときに、ケース１４１における外面の最も手前側の部分が筐体１０１の右側面に近くなるように同ケース１４１が傾けられている。そのため、ケース１４１をプリンターの奥行き方向に対して傾けずに装着する場合と比較して、正面から見える筐体１０１とケース１４１との隙間が小さくなる。したがって、筐体１０１とケース１４１との隙間が目立ちにくくなる。
【０１００】
（２）ケース１４１は略直方体状に形成されており、上述したようにケース１４１がプリンターの奥行き方向に対して傾斜した状態で筐体１０１の右側面に装着されているため、ケース１４１を含むプリンターの幅が、同プリンターの奥行き方向における奥側ほど大きくなっている。このため、正面から見たときにプリンターの側壁が凹んでいると錯覚されにくくなる。
【０１０１】
（３）プリンターの奥行き方向において、第１の液体収容ユニット１４０、並びに第２の液体収容ユニット１９０は、筐体１０１の最も手前側の部分よりも奥側に位置している。このため、筐体１０１よりもケース１４１，１９１が手前側に飛び出した形状にならず、ケース１４１，１９１が邪魔になりにくい。
【０１０２】
（４）ハウジングミドル１１０の右側壁部１１１はプリンターの高さ方向に対して下方ほど外側に位置するようにプリンターの高さ方向に対して傾斜している。そして、第１の液体収容ユニット１４０のケース１４１は、左側壁部１１２に沿うように左側壁部１１２の傾斜角度と等しい角度でプリンターの高さ方向に対して傾斜した状態で筐体１０１に装着されている。このため、プリンターの上方又は下方において筐体１０１とケース１４１との間に隙間が生じることが抑制される。
【０１０３】
（５）ハウジングミドル１１０の左側壁部１１２はプリンターの高さ方向に対して下方ほど外側に位置するようにプリンターの高さ方向に対して傾斜している。そして、第２の液体収容ユニット１９０のケース１９１は、左側壁部１１２に沿うように左側壁部１１２の傾斜角度と等しい角度でプリンターの高さ方向に対して傾斜した状態で筐体１０１に装着されている。このため、プリンターの上方又は下方において筐体１０１とケース１９１との間に隙間が生じることが抑制される。
【０１０４】
（６）第１の液体収容ユニット１４０のケース１４１と筐体１０１との間にスポンジ２１９が挟み込まれている。このため、スポンジ２１９によって筐体１０１とケース１４１との隙間が塞がれ、筐体１０１とケース１４１との隙間に物が入り込んでしまうことを抑制できる。
【０１０５】
なお、上記実施形態は以下のように変更してもよい。
・上記実施形態では、第２の液体収容ユニット１９０を、プリンターの奥行き方向に対して傾斜させずに筐体１０１の左側面に装着させていたが、第２の液体収容ユニット１９０をプリンターの奥行き方向に対して傾斜させて装着させるようにしてもよい。すなわち、第２の液体収容ユニット１９０のケース１９１における筐体１０１と対向する外面がプリンターの奥行き方向における手前側ほどプリンターの幅方向における内側に位置するように、プリンターの奥行き方向に対して傾斜した状態で第２の液体収容ユニット１９０を筐体１０１に装着するようにしてもよい。なお、こうした構成は、外板金１９９の締結部２０５における外板金１９９に対する突出度合いを、プリンターの奥行き方向において変えることで実現することができる。こうした構成は、図２７に示すように、筐体１０１の両側面が外方に屈曲した形状を有する場合に特に有効である。
【０１０６】
・上記実施形態では、第１の液体収容ユニット１４０に取り付けられている外板金１６０の上端にスポンジ２１９を取り付けて筐体１０１とケース１４１との隙間を塞ぐようにしたが、例えば、外板金１６０の前端にスポンジ２１９を取り付ける等、スポンジ２１９を外板金１６０の他の部分に取り付けるようにしてもよい。
【０１０７】
・上記実施形態では、第１の液体収容ユニット１４０に取り付けられている外板金１６０の上端にスポンジ２１９を取り付けて筐体１０１とケース１４１との隙間を塞ぐようにしたが、第２の液体収容ユニット１９０に取り付けられている外板金１９９にスポンジ２１９を取り付けるようにしてもよい。こうした構成によれば、更に筐体１０１とケース１９１との隙間を塞ぐことができる。
【０１０８】
・上記実施形態では、第１の液体収容ユニット１４０と筐体１０１との間に封止部材としてスポンジを挟んだ例を示したが、ゴムなどの他の部材を封止部材として挟むようにしてもよい。また、こうした封止部材は必ずしも設けなくてもよい。封止部材を設けなかったとしても、上記（１）〜（５）の効果を得ることはできる。
【０１０９】
・上記実施形態では、第２の液体収容ユニット１９０のケース１９１を、左側壁部１１２に沿うようにプリンターの高さ方向に対して傾斜した状態で筐体１０１に装着していた。こうした構成に代えて、ケース１９１を、プリンターの高さ方向に対して傾斜させずに筐体１０１に装着するようにしてもよい。こうした構成によっても上記（１）〜（４）の効果を得ることはできる。
【０１１０】
・上記実施形態では、第１の液体収容ユニット１４０のケース１４１を、右側壁部１１１に沿うようにプリンターの高さ方向に対して傾斜した状態で筐体１０１に装着していた。こうした構成に代えて、ケース１４１を、プリンターの高さ方向に対して傾斜させずに筐体１０１に装着するようにしてもよい。こうした構成によっても上記（１）〜（３）の効果を得ることはできる。
【０１１１】
・上記実施形態では、筐体１０１の両側面がプリンターの高さ方向に対して傾斜した形状で成形されている例を説明したが、筐体１０１のいずれか一方の側面がプリンターの高さ方向に対して傾斜していなくてもよい。また、筐体１０１の両側面がプリンターの高さ方向に対して傾斜していなくてもよい。
【０１１２】
・上記実施形態では、第１の液体収容ユニット１４０及び第２の液体収容ユニット１９０の両方がプリンターの奥行き方向において筐体１０１の最も手前側の部分よりも奥側に位置するようにしていたが、いずれか一方のみが奥側に位置するようにしてもよい。また、第１の液体収容ユニット１４０及び第２の液体収容ユニット１９０の両方がプリンターの奥行き方向において筐体１０１の最も手前側の部分よりも手前側に突出していてもよい。こうした構成によっても上記（１）〜（２）の効果を得ることはできる。
【０１１３】
・上記実施形態では、プリンターの幅がプリンターの奥行き方向における奥側ほど大きくなっている例を示したが、こうした構成を必ずしも備える必要はない。プリンターの幅がプリンターの奥行き方向における奥側ほど大きくなっていなくても上記（１）の効果を得ることはできる。
【０１１４】
・上記実施形態では、筐体１０１の両側面を、プリンターの奥行き方向において、手前側及び奥行き側ほどプリンターの幅方向における長さが短くなるように、すなわち中央部分がプリンターの幅方向において外側に突出するように若干湾曲した形状で成形していた。こうした構成に代えて、筐体１０１の両側面の少なくとも一方を湾曲させずに成形するようにしてもよい。
【０１１５】
・上記第１の実施形態では、筐体１０１のスキャナー部１０８と外板金１６０との間に間隙を設けるようにしたが、スキャナー部１０８の壁面に外板金１６０を当接させて隙間を設けないようにしてもよい。
【０１１６】
・上記実施形態では、筐体１０１にスキャナー部１０８を備えていたが、スキャナー部は必ずしも備えなくてもよい。
・上記実施形態において、第１の液体収容ユニット１４０の外板金１６０の下端に設けられた挿通部１７８の数を適宜変更してもよい。また、第２の液体収容ユニット１９０の外板金１９９の下端に設けられた挿通部２１０の数を適宜変更してもよい。
【０１１７】
・上記実施形態では、第２の液体収容ユニット１９０の外板金１９９の下端に挿通部２１０を設けて、この挿通部２１０を筐体１０１に上方から差し込むようにしたが、挿通部２１０は必ずしも設ける必要はない。
【０１１８】
・上記実施形態では、第２の液体収容ユニット１９０のケース１９１の内面に取り付けられたステー１９５と重ならない部分に切り欠き孔２１２を形成し、内板金１６１と外板金１９９とが、それぞれに形成されているねじ孔１６２，２０６が切り欠き孔２１２と重なるように配設するようにした。こうした構成に代えて、切り欠き孔２１２とねじ孔１６２，２０６とが重ならない位置に内板金１６１及び外板金１９９を配設するようにしてもよい。また、切り欠き孔２１２を省略するようにしてもよい。
【０１１９】
・上記実施形態では、第１の液体収容ユニット１４０の外板金１６０の下端に挿通部１７８を設けて、この挿通部１７８を筐体１０１に上方から差し込むようにしたが、挿通部１７８は必ずしも設ける必要はない。
【０１２０】
・上記実施形態では、第１の液体収容ユニット１４０のケース１４１の内面に取り付けられたステー１５３と重ならない部分に切り欠き孔１２９を形成し、内板金１６１と外板金１６０とが、それぞれに形成されているねじ孔１６２，１７２が切り欠き孔１２９と重なるように配設した。こうした構成に代えて、切り欠き孔１２９とねじ孔１６２，１７２とが重ならない位置に内板金１６１及び外板金１６０を配設するようにしてもよい。また、切り欠き孔１２９を省略するようにしてもよい。
【０１２１】
・上記実施形態では、ハウジングミドル１１０の右側壁部１１１に内板金１６１が圧入される取り付け孔１１６を４つ備える構成を例示したが、取り付け孔１１６の数は適宜変更可能である。なお、取り付け孔１１６を２つ以上備える場合には、そのうちの少なくとも一つを他の内板金１６１と長孔１６６の延びている向きが異なるように取り付けることが望ましい。
【０１２２】
・上記実施形態では、ハウジングミドル１１０の左側壁部１１２に内板金１６１が圧入される取り付け孔２０２を４つ備える構成を例示したが、取り付け孔２０２の数は適宜変更可能である。なお、取り付け孔２０２を２つ以上備える場合には、そのうちの少なくとも一つを他の内板金１６１と長孔１６６の延びている向きが異なるように取り付けることが望ましい。
【０１２３】
・上記実施形態では、筐体１０１の側面の上方の取り付け孔に圧入された内板金１６１を、下方の取り付け孔に圧入された内板金１６１と長孔１６６の延びる方向が異なるように取り付けるようにしていた。これに対して、上方の取り付け孔に圧入されている内板金１６１を、下方の取り付け孔に圧入された内板金１６１と長孔１６６の延びる方向が同じになるように取り付けるようにしてもよい。
【０１２４】
・上記実施形態では、内板金１６１を、樹脂製の筐体１０１の壁面に設けられた取り付け孔１１６，２０２に圧入するようにしていたが、圧入以外の方法で固定するようにしてもよい。例えば、内板金１６１を筐体１０１の外面に接着させる等の方法によって固定するようにしてもよい。
【０１２５】
・上記実施形態では、外板金１６０，１９９側からねじ１３１，２２０を挿通して内板金１６１と外板金１６０，１９９とを締結するようにしていたが、内板金１６１側からねじ１３１，２２０を挿通して内板金１６１と外板金１６０，１９９とを締結するようにしてもよい。
【０１２６】
・上記実施形態では、筐体１０１の内面に内板金１６１を取り付けて、ケース１４１の外面に外板金１６０を取り付けるようにしていたが、筐体１０１の外面に内板金１６１を取り付けたり、ケース１４１の内面に外板金１６０を取り付けたりしてもよい。
【０１２７】
・上記実施形態では、筐体１０１の両側面に液体収容ユニット１４０，１９０を装着する構成を示したが、液体収容ユニット１４０，１９０のいずれか一方のみを備えるようにしてもよい。なお、こうした場合には、液体収容ユニットのケースの外面がプリンターの奥行き方向における手前側ほどプリンターの幅方向における内側に位置するようにケースがプリンターの奥行き方向に対して傾斜した状態で液体収容ユニットを筐体の側面に装着する。
【０１２８】
・上記実施形態では、操作パネル１０４の表記が向けられている方向と、排出口１０５が設けられている方向とが同じである記録装置を例に説明したが、これらの方向が異なっていてもよい。また、操作パネル１０４が筐体の上面に設けられて操作パネル１０４の表記が上方を向いている場合や、操作パネルが設けられていない場合等には、排出口１０５が設けられている方向をプリンター及び筐体１０１の正面とする。そして、この正面に対する筐体の右側面及び左側面の少なくとも一方にケースを装着し、ケースにおける筐体と対向する外面がプリンターの奥行き方向における手前側ほどプリンターの幅方向における内側に位置するように、ケースがプリンターの奥行き方向に対して傾斜した状態で筐体に装着する。
【０１２９】
・上記実施形態では、操作パネル１０４の表記が向けられている方向をプリンター及び筐体１０１の正面としたが、操作パネル１０４が設けられている側をプリンター及び筐体１０１の正面としてもよい。
【０１３０】
・上記実施形態では、筐体１０１の差し込み口２１５に電源コード２１４を接続している例を説明したが、差し込み口２１５に、ＵＳＢケーブル、ＬＡＮケーブル、メモリカード等を接続するようにしてもよい。
【０１３１】
・上記実施形態では、略直方体状のケース１４１，１９１を備える例を説明したが、図２８に示すように湾曲した形状のケースを備えるようにしてもよい。なお、こうした場合には、図２８に示すように、筐体１０１の湾曲した側面よりもケース１４１を湾曲させるようにしてもよい。
【０１３２】
・上記実施形態では、プリンターの奥行き方向において、第２の液体収容ユニット１９０が、差し込み口２１５よりも奥側に位置しないように同液体収容ユニット１９０を筐体１０１の左側面に装着するようにしていたが、第２の液体収容ユニット１９０を差し込み口２１５よりも奥側に位置するように装着してもよい。
【０１３３】
・上記実施形態では、プリンターの背面の左側面側の端部に差し込み口２１５を設けるようにしたが、差し込み口２１５の配設位置はこれに限られず、例えば、プリンターの背面の右側面側の端部に設けるようにしてもよい。なお、プリンターの背面の右側面側の端部に差し込み口２１５設けた場合には、プリンターの奥行き方向において、第１の液体収容ユニット１４０を、差し込み口２１５よりも奥側に位置しないように筐体１０１に装着することが望ましい。
【０１３４】
・上記実施形態では、外板金１６０によって、ケース１４１の外面をプリンターの奥行き方向における手前側ほどプリンターの幅方向における内側に位置するようにプリンターの奥行き方向に対して傾斜した状態で筐体１０１に装着するようにした。こうした構成に代えて、例えば、ケース１４１の外面から筐体１０１側に突出してその突出度合いがプリンターの奥行き方向で異なる複数の締結部を設ける。そして、これらの締結部を内板金１６１と締結させることで、プリンターの奥行き方向に対して傾斜した状態でケース１４１を筐体１０１に装着するようにしてもよい。また、内板金１６１を省略して、筐体１０１の側面にケースを直接締結するようにしてもよい。
【０１３５】
・上記実施形態において、記録装置は、インク以外の他の液体を噴射したり吐出したりして記録を行う液体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。
【符号の説明】
【０１３６】
１００…記録ユニット、１０１…筐体、１０２…液体噴射ヘッド（記録部）、１０３…キャリッジ、１０４…操作パネル、１０５…排出口、１０６…排紙トレイ、１０７…給紙カセット、１０８…スキャナー部、１０９…ベースフレーム、１１０…ハウジングミドル、１１１…右側壁部、１１２…左側壁部、１１３…天井部、１１４…凹部、１１５Ａ，１１５Ｂ…切り欠き部、１１６…取り付け孔、１１７…第１の取り付け孔、１１８…第２の取り付け孔、１１９…上方孔部、１２０…下方孔部、１２１…内側孔部、１２２…取付孔部、１２３…外側孔部、１２４…段差、１２５…ねじ挿通孔、１２６…縦孔、１２７…支持孔、１２８…ねじ、１２９…切り欠き孔、１３０…逃がし孔、１３１…ねじ、１４０…第１の液体収容ユニット、１４１…ケース、１４２…底形成部材、１４３…側壁形成部材、１４４…蓋体、１５０…液体収容体、１５０Ａ…第１の液体収容体、１５０Ｂ…第２の液体収容体、１５０Ｃ…第３の液体収容体、１５１…インクバッグ、１５２…取手部、１５３…ステー、１５４…インク供給チューブ、１５５…クランプ、１５６…チューブ挿通孔、１５７…個別ケーブル、１５８…中継基板、１５９…統合ケーブル、１６０…外板金（第２の板金部材）、１６１…内板金（第１の板金部材）、１６２…ねじ孔、１６３…天板部、１６３Ａ…幅狭部、１６３Ｂ…幅広部、１６４…第１の保持部、１６５…第２の保持部、１６６…長孔、１６７…上方板部、１６８…下方板部、１６９…締結部、１６９Ａ…第１の締結部、１６９Ｂ…第２の締結部、１７０…締結部、１７０Ａ…第３の締結部、１７０Ｂ…第４の締結部、１７１…基準面、１７２…ねじ孔、１７３…基準面、１７４，１７５…突出部、１７６…ボス部、１７７…ねじ止め部、１７８…挿通部、１７９…切り欠き、１８０…孔部、１９０…第２の液体収容ユニット、１９１…ケース、１９２…底形成部材、１９３…側壁形成部材、１９４…蓋体、１９５…ステー、１９６…インク供給チューブ、１９７…クランプ、１９８…チューブ挿通孔、１９９…外板金（第２の板金部材）、２００…凹部、２０１Ａ，２０１Ｂ…切り欠き部、２０２…取り付け孔、２０３…ねじ挿通孔、２０４…カバー部材、２０５…締結部、２０６…ねじ孔、２０７…突出部、２０８…ボス部、２０９…ねじ止め部、２１０…挿通部、２１１…孔部、２１２…切り欠き孔、２１３…逃がし孔、２１４…電源コード、２１５…差し込み口、２１６…載置トレイ、２１７…紙送り部、２１８…化粧板、２１９…スポンジ、２２０…ねじ。
【図１】
2015174336.tif 000003
【図２】
2015174336.tif 000004
【図３】
2015174336.tif 000005
【図４】
2015174336.tif 000006
【図５】
2015174336.tif 000007
【図６】
2015174336.tif 000008
【図７】
2015174336.tif 000009
【図８】
2015174336.tif 000010
【図９】
2015174336.tif 000011
【図１０】
2015174336.tif 000012
【図１１】
2015174336.tif 000013
【図１２】
2015174336.tif 000014
【図１３】
2015174336.tif 000015
【図１４】
2015174336.tif 000016
【図１５】
2015174336.tif 000017
【図１６】
2015174336.tif 000018
【図１７】
2015174336.tif 000019
【図１８】
2015174336.tif 000020
【図１９】
2015174336.tif 000021
【図２０】
2015174336.tif 000022
【図２１】
2015174336.tif 000023
【図２２】
2015174336.tif 000024
【図２３】
2015174336.tif 000025
【図２４】
2015174336.tif 000026
【図２５】
2015174336.tif 000027
【図２６】
2015174336.tif 000028
【図２７】
2015174336.tif 000029
【図２８】
2015174336.tif 000030